(57)【要約】【課題】複数の系統の映像信号に関し、全ての映像信号の解像度調整を簡単な操作で行えるようにする。【解決手段】解像度設定部１５を操作して映像信号の目標解像度を入力すると、信号変換部１４においては第１映像信号ＰＳ１の解像度設定が自動で行われる。また、該入力した情報はＣＰＵ１７に送られ、モニター３についての必要な情報は第１ＲＯＭ１６から選別され、第２ＲＯＭ１８を経由してパソコン２に転送される。その結果、パソコン２が第２映像信号ＰＳ２の解像度設定を自動で行う。第１映像信号ＰＳ１を出力するか第２映像信号ＰＳ２を出力するかの選択は信号選択部１２にて行われ、選択された映像信号がモニター３に送信されて映像表示が行われる。どちらの映像信号も解像度は同じであるので、良好な品質の映像が表示されることとなる。【選択図】図１
2009288261.tif 000002
【特許請求の範囲】
【請求項１】
複数の系統の映像信号が入力されると共にそれらの複数の系統の映像信号が選択的に出力されるように構成されたＡＶスイッチャー装置において、
一つの系統の映像信号である第１映像信号が入力されるように構成された第１入力部と、
パソコンが接続可能であると共に、別の系統の映像信号である第２映像信号が該パソコンから入力されるように構成された第２入力部と、
前記第１映像信号及び前記第２映像信号の内から１つの映像信号を選択する信号選択部と、
モニターが接続可能であると共に、前記信号選択部にて選択された映像信号が出力されるように構成されたモニター接続部と、
前記第１入力部と前記信号選択部との間に介装されて前記第１映像信号の解像度を変更する信号変換部と、
手動操作可能に構成されると共に、前記信号変換部の出力信号の解像度を設定可能な解像度設定部と、
複数種類のモニターに関する解像度情報が予め格納されている第１ＲＯＭと、
前記解像度設定部により設定された解像度情報に基づき、前記第１ＲＯＭから必要な情報を選別するＣＰＵと、
該ＣＰＵにより選別された情報を一時的に格納すると共に該情報が前記パソコンに転送されるように構成された第２ＲＯＭと、
を備えたことを特徴とするＡＶスイッチャー装置。
【請求項２】
前記第１入力部は、前記第１映像信号としてのＮＴＳＣ信号が入力されるように構成され、
前記信号変換部は、該ＮＴＳＣ信号を所定の解像度のＲＧＢ信号に変換できるように構成されたアップコンバータであり、
前記第２入力部は、前記第２映像信号としてのＲＧＢ信号が入力されるように構成された、
ことを特徴とする請求項１に記載のＡＶスイッチャー装置。
【請求項３】
前記第１ＲＯＭは、少なくともモニターの解像度情報が格納されてなるＥＤＩＤエミュレータである、
ことを特徴とする請求項１又は２に記載のＡＶスイッチャー装置。
【発明の詳細な説明】
【技術分野】
【０００１】
本発明は、複数の系統の映像信号が入力されると共に、それら複数の系統の映像信号の中から１系統の映像信号を選択し出力するように構成されたＡＶスイッチャー装置に関する。
【背景技術】
【０００２】
従来、複数の系統の映像信号が入力されると共に、それら複数の系統の映像信号の中から１系統の映像信号を選択し出力するように構成されたＡＶスイッチャー装置が提案されている（例えば、特許文献１参照）。
【０００３】
図２は、そのようなＡＶスイッチャー装置の従来構成の一例を示すブロック図であって、符号１００はＡＶスイッチャー装置を示し、符号１０１は、映像信号を入力するための入力端子を示し、符号１０２は、該ＡＶスイッチャー装置１００に別系統の映像信号を入力するために接続されたパソコンを示し、符号１０３は、入力された複数系統の映像信号の中から１系統の映像信号を選択する切換部を示し、符号１０４は、該切換部１０３により選択された映像信号を受信して映像を表示するモニターを示す。
【０００４】
この場合、モニター１０４に表示される映像の品質を最良のものにするには、ＡＶスイッチャー装置１００からの映像信号の解像度をモニター１０４の画面解像度に一致させる必要がある。そこで、図２に示すシステムでは、モニター１０４のＲＯＭ１０４ａに画面解像度等の情報が予め書き込まれており、そのデータがＡＶスイッチャー装置内のメモリ部１０５を経由してパソコン１０２にまで送信され、該パソコン１０２が適正解像度の映像信号を出力するようになっていた。また、パソコン以外から入力端子１０１を経由して入力される映像信号の解像度は、不図示の調整手段によって調整できるように構成されていた。
【特許文献１】特開２００２−３１８５７１号公報
【発明の開示】
【発明が解決しようとする課題】
【０００５】
上述のシステムの場合、ＡＶスイッチャー装置１００とモニター１０４との間では、映像信号だけでなく解像度情報等のデータのやり取りをも行わなければならないので、それらの信号を送受信することが可能なＤ−Ｓｕｂコネクタ付きケーブルを使用する必要があった。しかし、その種のケーブルは、現場で切断したりコネクタを接続したりすることは困難であって、市販のケーブルをそのままの長さで使用するしか無いので、ＡＶスイッチャー装置１００とモニター１０４とは、市販のケーブルの長さ以上に離すことはできなかった。
【０００６】
そのような問題を解決する方法としては、モニター側からの解像度情報を使用せず、ＡＶスイッチャー装置１００の側で映像信号の解像度を手動で調整する方法が考えられる。しかし、その方法では、複数の系統の映像信号毎にそれぞれ解像度調整を行う必要があり、その調整作業が煩雑になってしまうという問題があった。
【０００７】
本発明は、上述の問題を解消することのできるＡＶスイッチャー装置を提供することを目的とするものである。
【課題を解決するための手段】
【０００８】
請求項１に係る発明は、図１に例示するものであって、複数の系統の映像信号（ＰＳ１，ＰＳ２）が入力されると共にそれらの複数の系統の映像信号が選択的に出力されるように構成されたＡＶスイッチャー装置（１）において、
一つの系統の映像信号である第１映像信号（ＰＳ１）が入力されるように構成された第１入力部（１０）と、
パソコン（２）が接続可能であると共に、別の系統の映像信号である第２映像信号（ＰＳ２）が該パソコン（２）から入力されるように構成された第２入力部（１１）と、
前記第１映像信号（ＰＳ１）及び前記第２映像信号（ＰＳ２）の内から１つの映像信号を選択する信号選択部（１２）と、
モニター（３）が接続可能であると共に、前記信号選択部（１２）にて選択された映像信号が出力されるように構成されたモニター接続部（１３）と、
前記第１入力部（１０）と前記信号選択部（１２）との間に介装されて前記第１映像信号（ＰＳ１）の解像度を変更する信号変換部（１４）と、
手動操作可能に構成されると共に、前記信号変換部（１４）の出力信号の解像度を設定可能な解像度設定部（１５）と、
複数種類のモニターに関する解像度情報が予め格納されている第１ＲＯＭ（１６）と、
前記解像度設定部（１５）により設定された解像度情報に基づき、前記第１ＲＯＭ（１６）から必要な情報を選別するＣＰＵ（１７）と、
該ＣＰＵ（１７）により選別された情報を一時的に格納すると共に該情報が前記パソコン（２）に転送されるように構成された第２ＲＯＭ（１８）と、を備えたことを特徴とする。
【０００９】
請求項２に係る発明は、請求項１に係る発明において、前記第１入力部（１０）は、前記第１映像信号（ＰＳ１）としてのＮＴＳＣ信号が入力されるように構成され、
前記信号変換部（１４）は、該ＮＴＳＣ信号を所定の解像度のＲＧＢ信号に変換できるように構成されたアップコンバータであり、
前記第２入力部（１１）は、前記第２映像信号（ＰＳ２）としてのＲＧＢ信号が入力されるように構成されたことを特徴とする。
【００１０】
請求項３に係る発明は、請求項１又は２に記載の発明において、前記第１ＲＯＭ（１６）は、少なくともモニターの解像度情報が格納されてなるＥＤＩＤエミュレータであることを特徴とする。
【００１１】
なお、括弧内の番号などは、図面における対応する要素を示す便宜的なものであり、従って、本記述は図面上の記載に限定拘束されるものではない。
【発明の効果】
【００１２】
請求項１乃至３に係る発明によれば、モニターの解像度情報が格納されているのは、モニターの側ではなくＡＶスイッチャー装置の側であるので、上記従来装置のようにモニターからＡＶスイッチャー装置に解像度情報等のデータを送る必要はなく、該モニターとＡＶスイッチャー装置とは、映像信号送信用の同軸ケーブルで接続すれば足りる。この同軸ケーブルは、上述のＤ−Ｓｕｂコネクタ付きケーブルとは異なり、現場でケーブルを切断したりコネクタを接続したりという作業が比較的簡単に行えるので、ＡＶスイッチャー装置とモニターとの間の距離はケーブル長さから制約を受けることは無く、自由に設定することができる。
【発明を実施するための最良の形態】
【００１３】
以下、図１に沿って、本発明を実施するための最良の形態について説明する。ここで、図１は、本発明に係るＡＶスイッチャー装置の構成の一例を示すブロック図である。
【００１４】
本発明に係るＡＶスイッチャー装置は、複数の系統の映像信号が入力されると共にそれらの複数の系統の映像信号が選択的に出力されるように構成されている。このＡＶスイッチャー装置は、図１に符号１で例示するものであって、少なくとも以下のものを備えている。すなわち、
・  一つの系統の映像信号である第１映像信号ＰＳ１が入力されるように構成された第１入力部１０
・  パソコン２が接続可能であると共に、別の系統の映像信号である第２映像信号ＰＳ２が該パソコン２から入力されるように構成された第２入力部１１
・  前記第１映像信号ＰＳ１及び前記第２映像信号ＰＳ２の内から１つの映像信号を選択する信号選択部１２
・  モニター３が接続可能であると共に、前記信号選択部１２にて選択された映像信号が出力されるように構成されたモニター接続部１３
・  前記第１入力部１０と前記信号選択部１２との間に介装されて前記第１映像信号ＰＳ１の解像度を変更する信号変換部１４
・  手動操作可能に構成されると共に、前記信号変換部１４の出力信号の解像度を設定可能な解像度設定部１５
・  複数種類のモニターに関する解像度情報が予め格納されている第１ＲＯＭ１６
・  前記解像度設定部１５により設定された解像度情報に基づき、前記第１ＲＯＭ１６から必要な情報を選別するＣＰＵ１７
・  該ＣＰＵ１７により選別された情報を一時的に格納すると共に該情報が前記パソコン２に転送されるように構成された第２ＲＯＭ１８
【００１５】
ここで、第１映像信号としてはコンポジット信号（具体的には、ＮＴＳＣ信号）を用い、前記第１入力部１０には該ＮＴＳＣ信号が入力されるようにするとよい。また、前記信号変換部１４にはアップコンバータを用いて、該ＮＴＳＣ信号が所定の解像度のＲＧＢ信号に変換されるようにすると良い。さらに、前記第２映像信号としてはＲＧＢ信号を用い、パソコン２から前記第２入力部１１にはＲＧＢ信号が入力されるようにすると良い。
【００１６】
次に、本発明の作用及び効果について説明する。
【００１７】
本発明に係るＡＶスイッチャー装置１を使用するに際しては、前記第１入力部１０には所定のケーブル等を接続し、前記第２入力部１１にはパソコン２を接続し、前記モニター接続部１３にはモニター３を接続する。接続するモニター３としては液晶ディスプレイやプラズマディスプレイやプロジェクタなどの様々な種類のものがあるが、そのようなモニター３は最適な画面解像度というものが決まっているので、該ＡＶスイッチャー装置１を設置する際に前記解像度設定部１５にて解像度を設定する。これにより、前記信号変換部１４が調整され、第１映像信号ＰＳ１は最適な解像度の信号に変換された上で前記信号選択部１２に送られる。該信号がモニター３に出力されるように前記信号選択部１２にて選択されている場合には、その信号による映像が該モニター３に表示されることとなる。ところで、前記第１ＲＯＭ１６には、各種モニターの解像度情報が予め格納されており、前記ＣＰＵ１７は、例えば、ＡＶスイッチャー装置１が起動されるタイミングで、前記解像度設定部１５により設定された解像度情報に基づき前記第１ＲＯＭ１６から必要な情報を選別し、該情報を前記第２ＲＯＭ１８に一時的に格納する。すると、該第２ＲＯＭ１８に格納された情報はパソコン２に転送され、該パソコン２はその解像度情報に基づき調整した解像度の第２映像信号を前記第１入力部１１を介して前記信号選択部１２に送出する。この信号選択部１２で第１映像信号でなく第２映像信号が選択された場合には、該信号による映像がモニター３に表示されることとなる。つまり、第１映像信号を選択した場合、第２映像信号を選択した場合のいずれにおいても、モニター３にとって最適な解像度で映像が表示されることとなる。
【００１８】
本発明によれば、モニターの解像度情報が格納されているのは、モニターの側ではなくＡＶスイッチャー装置の側であるので、上記従来装置のようにモニター３からＡＶスイッチャー装置１に解像度情報等のデータを送る必要はなく、該モニター３とＡＶスイッチャー装置１とは、映像信号送信用の同軸ケーブルで接続すれば足りる。この同軸ケーブルは、上述のＤ−Ｓｕｂコネクタ付きケーブルとは異なり、現場でケーブルを切断したりコネクタを接続したりという作業が比較的簡単に行えるので、ＡＶスイッチャー装置１とモニター３との間の距離はケーブル長さから制約を受けることは無く、自由に設定することができる。
【００１９】
また、本発明によれば、上述の解像度設定部１５によって解像度を１回設定するだけで、第１映像信号の解像度だけでなく第２映像信号の解像度も自動的に変更されることとなり、映像信号毎にそれぞれ解像度調整を行う必要は無い。したがって、その分、解像度の調整作業が簡素化されることとなる。
【００２０】
ところで、上述の第１ＲＯＭ１６には、少なくとも解像度情報が格納されてなるＥＤＩＤ（Ｅｘｔｅｎｄｅｄ  Ｄｉｓｐｌａｙ  Ｉｄｅｎｔｉｆｉｃａｔｉｏｎ  Ｄａｔａ）エミュレータを使用すると良い。このＥＤＩＤエミュレータには、解像度についての情報だけでなく、ディスプレイについての基本情報やベンダー情報やカラー特性も格納しておくと良い。
【００２１】
なお、図１では、映像信号は、第１映像信号ＰＳ１及び第２映像信号ＰＳ２の２系統であるが、もちろんこれに限られるものではなく、３系統以上であっても良い。
【図面の簡単な説明】
【００２２】
【図１】図１は、本発明に係るＡＶスイッチャー装置の構成の一例を示すブロック図である。
【図２】図２は、ＡＶスイッチャー装置の従来構成の一例を示すブロック図である。
【符号の説明】
【００２３】
１              ＡＶスイッチャー装置
２              パソコン
３              モニター
１０            第１入力部
１１            第２入力部
１２            信号選択部
１３            モニター接続部
１４            信号変換部
１５            解像度設定部
１６            第１ＲＯＭ
１７            ＣＰＵ
１８            第２ＲＯＭ
ＰＳ１          第１映像信号
ＰＳ２          第２映像信号
【図１】
2009288261.tif 000003
【図２】
2009288261.tif 000004